(57)【要約】【課題】幅方向の発射角度調整を簡便に且つ安価に行う。【解決手段】端面が対向しているヨーク２１と、このヨーク２１に巻回されたコイル２２と、ヨーク２１が固定されるベース板２０とからなり、磁性体からなる遊技球３をコイルの励磁で発生させた磁力で発射する遊技球発射装置である。上記ヨーク２１のベース板２０への固定角度を調整する調整機構を備える。ヨーク２１のベース板２０への固定角度を変更することで、幅方向の発射方向角度を調整する。【選択図】図１
2005143752.tif 000002
【特許請求の範囲】
【請求項１】
端面が対向しているヨークと、このヨークに巻回されたコイルと、ヨークが固定されるベース板とからなり、磁性体からなる遊技球をコイルの励磁で発生させた磁力で発射する遊技球発射装置において、ヨークのベース板への固定角度を調整する調整機構を備えていることを特徴とする遊技球発射装置。
【請求項２】
調整機構は、ヨークをベース板に固定するためのねじと、ヨークとベース板との間に介在させたばねとからなることを特徴とする請求項１記載の遊技球発射装置。
【請求項３】
調整機構は、ヨークにおける対向する端面の中心を通る線を中心としてヨークを回動させるものであることを特徴とする請求項１または２記載の遊技球発射装置。
【請求項４】
ヨークをベース板に固定する３本のねじのうち、２本がヨークにおける対向する端面の中心を通る線上に位置し、他の１本が遊技球の発射方向の軸線上に位置していることを特徴とする請求項２または３記載の遊技球発射装置。
【請求項５】
ねじの回転にクリック感を付与するクリック手段を備えていることを特徴とする請求項２〜４のいずれか１項に記載の遊技球発射装置。
【発明の詳細な説明】
【技術分野】
【０００１】
本発明は、遊技球、殊にパチンコ玉のような磁性体からなる遊技球を電磁力で発射する遊技球発射装置に関するものである。
【背景技術】
【０００２】
磁性体からなる遊技球に電磁力を直接作用させることで遊技球を発射する遊技球発射装置は、ハンマーを用いて遊技球を打ち出すものに比べ、磁束中心のばらつきのために、幅方向の発射角度にばらつきが生じやすい。このようなばらつきがあると、発射した遊技球が本来の到達点に至るまでに遊技装置の盤面に当たったり、盤面を覆うガラス板に当たったりしてしまう。
【０００３】
そして、構成部品の加工精度を厳しくして磁束中心のばらつきを少なくすることで対処するにはコスト的に問題がある上に、たとえ発射装置そのものにおける発射角度に全く誤差がなくとも、遊技装置への取付精度や遊技装置における発射装置の取り付け面の傾き等の関係で無調整で済ますことは無理である。
【０００４】
このために、特開平１０−９９４８６号公報（特許文献１）に示された遊技球発射装置では、発射する遊技球の初期位置を定める球係止部を発射方向と直交する方向に移動させることで幅方向の発射角度の調整を行うことができるようにしている。
【０００５】
しかし、上記の構造の発射角度調整では、球係止部を移動させるための調整構造を別途追加しなくてはならず、どうしてもコストが高くなってしまう。また、調整幅を大きくすると、磁束中心からの距離も変わってしまうために、遊技球の発射速度に影響を与えてしまうことになり、これを防ぐために磁束中心を中心とする円弧上を球係止部が移動するようにすると、調整構造が更に複雑となってコストが高くなる。
【特許文献１】特開平１０−９９４８６号公報
【発明の開示】
【発明が解決しようとする課題】
【０００６】
本発明は上記の従来の問題点に鑑みて発明したものであって、幅方向の発射角度調整を簡便に且つ安価に行うことができる遊技球発射装置を提供することを課題とするものである。
【課題を解決するための手段】
【０００７】
上記課題を解決するために本発明に係る遊技球発射装置は、端面が対向しているヨークと、このヨークに巻回されたコイルと、ヨークが固定されるベース板とからなり、磁性体からなる遊技球をコイルの励磁で発生させた磁力で発射する遊技球発射装置において、ヨークのベース板への固定角度を調整する調整機構を備えていることに特徴を有している。ヨークのベース板への固定角度を変更することで、幅方向の発射方向角度を調整することができるようにしたものである。
【０００８】
そして、上記調整機構には、ヨークをベース板に固定するためのねじと、ヨークとベース板との間に介在させたばねとからなるものを用いることで、部品点数を更に少なくすことができる。
【０００９】
この時、ヨークにおける対向する端面の中心を通る線を中心としてヨークを回動させるものであると、調整をより的確に行うことができるものとなり、また、ヨークをベース板に固定する３本のねじのうち、２本がヨークにおける対向する端面の中心を通る線上に位置し、他の１本が遊技球の発射方向の軸線上に位置していると、的確な調整を簡便な構造で行うことができる。
【００１０】
さらにねじの回転にクリック感を付与するクリック手段を備えていると、調整時の操作が分かりやすいものとなる。
【発明の効果】
【００１１】
本発明は、ヨークのベース板への固定角度を調整機構で調整するものであり、このために調整時に遊技球と磁束中心との間の距離が変わったりすることがなくて的確な調整が可能であり、また調整機構にはヨークをベース板に固定するためのねじを利用することができるために、角度調整機能の付加を低コストで行うことができる。
【発明を実施するための最良の形態】
【００１２】
以下、本発明を添付図面に示す実施形態に基いて説明すると、図示例の発射装置２は、図５に示すように、盤面１０にガイド用のレール１１を配したパチンコ型遊技装置１において用いる磁性体からなる遊技球３を発射するもので、Ｃ字形で両端面が対向するヨーク２１の両端部に夫々コイル２２，２２を配したものとして構成されている。
【００１３】
ここにおけるヨーク２１は、図１に示すように、３本のねじ４０，４０，４１でベース板２０に固定されているもので、ヨーク２１の対向している両端面のうちの一方には非磁性体からなるガイドレール２３が取り付けられており、ガイドレール２３の一端には球止め金具２４が付設されている。図示していない球供給装置からガイドレール２３上の球止め金具２４で規定される位置に１個ずつ供給される遊技球３は、コイル２２の励磁によって生じる磁気力で図１中の右方に発射される。図中２６はコイルボビンである。
【００１４】
ここにおいて、ヨーク２１は前述のように各コイル２２の近傍部分に通されるねじ４０，４０と、ヨーク２１の中間点に通されるねじ４１の３本のねじ４０，４０，４１でベース板２０に固定されているが、上記ねじ４１でベース板２１に固定されるヨーク２１の中間点とベース板２０との間にはばね４２を介在させている。
【００１５】
このために、ねじ４１を螺進退させたならば、図２に示すように、ヨーク２１の中間部分とベース板２０との間の距離が変化するものであり、このためにヨーク２１の両端面間を結ぶ方向と遊技球３の発射方向とに対して共に直交する方向である幅方向の発射角度を調整することができる。
【００１６】
この時、ねじ４０は図２から明らかなように、ヨーク２１を貫通する円筒状スペーサ４３に通されてベース板２０に締め付けられており、ねじ４０の頭部とヨーク２１との間には波形のばね座金４８が配設されている。このために上記調整操作に伴うヨーク２１の幅方向の傾きはばね座金４８の撓みにより許容される。このばね座金４８は、ねじ４０の締め込みを可能とするスペーサ４３と共にねじ４０の緩み止めとしても機能する。
【００１７】
この調整機構４の場合、もともとヨーク２１をベース板２０に固定するためのねじ４１，４０を利用することから、調整可能とするために追加するのはばね４２やばね座金４８，スペーサ４３といった部品だけでよく、きわめて安価に調整機構４を付加することができる。しかも、ヨーク２１そのものを傾けることで幅方向の発射角度を調整するために、球止め金具２４で規定される遊技球３の位置と、磁束中心との位置関係は全く変わらず、このために角度調整が遊技球３の発射速度に影響を与えてしまうことがないものである。
【００１８】
また、ここでは上記２つのねじ４０，４０をヨーク２１に通している位置を、ヨーク２１の両端間を結ぶ線上で磁力線の中心を通る位置として、ねじ４１を回転させた際のヨーク２１の回転中心をヨーク２１における対向する端面の中心を通る線に略一致させており、さらにねじ４１を遊技球３の発射の軸線上に配していることから、ねじ４１の螺進退で正確に幅方向の発射角度のみが調整されるものとなっている。
【００１９】
なお、ねじ４１はパチンコ型遊技装置１の盤面１０の前面カバーを外せば露出することになる前面に頭部を位置させているために、この点においても調整作業が容易なものである。
【００２０】
図３はねじ４１の他例を示している。これはねじ４１を螺進退させることで発射角度調整を行うにあたり、クリック感を付与するとともにねじ４１が緩んだりしてしまうことがないようにするために、頭部の裏面側に突起４７を設けたもので、図４に示すクリック板４４を併用することで、上記クリック感の付与を行う。ヨーク２１に回り止めがなされた状態で取り付けられるクリック板４４は、ねじ４１が挿通される孔を中心とする円状に複数の突部４５を等間隔に形成することで、突部４５間に上記突起４７が係合する溝４６を形成したものであり、放射状に並ぶ複数の溝４６に突起４７が係合することで、ねじ４１の緩み止めがなされ、ねじ４１を回転させた際には突起４７が突部４５を乗り越えることでクリック感が生じる。ちなみに図示例ではねじ４１の回転で３０°毎にクリックが生じる。なお、上記突部４５及び溝４６はヨーク２１の表面に形成してもよい。
【００２１】
ばね４２として圧縮コイルばねを示したが、渦巻きコイルばねであってもよく、後者の場合、ベース板２０とヨーク２１との間隔を狭くすることができるために、発射装置全体の厚みを薄くすることができる。
【００２２】
ヨーク２１におけるねじ４０とスペーサ４３を通す孔は、ヨーク２１の上記傾きを可能とするためのクリアランスをその内面とスペーサ４３外面との間に確保した内径のものとしなくてはならないが、この時、上記孔を楕円形として、その長軸を発射方向と平行に、短軸を発射方向と交差する方向とし、短軸方向の内径はスペーサ４３の外径とほぼ同一、長軸方向の内径は前記角度調整を許すクリアランスを確保したものとすれば、発射角度調整に際し、ヨーク２１の不要な動きを抑えることができて、角度調整時をより的確に行うことができる上に、上記孔によるヨーク２１の断面積減少を少なくすることができる。
【図面の簡単な説明】
【００２３】
【図１】本発明の実施の形態の一例を示すもので、(a)は正面図、(b)は側面図である。
【図２】(a)(b)(c)は夫々階段断面図である。
【図３】ねじの他例を示すもので、(a)は平面図、(b)は正面図、(c)は側面図である。
【図４】クリック板を示すもので、(a)は平面図、(b)は断面図である。
【図５】パチンコ型遊技装置の概略正面図である。
【符号の説明】
【００２４】
１  遊技装置
２  発射装置
３  遊技球
４  調整機構
４０  ねじ
４１  ねじ
４２  ばね
【図１】
2005143752.tif 000003
【図２】
2005143752.tif 000004
【図３】
2005143752.tif 000005
【図４】
2005143752.tif 000006
【図５】
2005143752.tif 000007